(57)【特許請求の範囲】
【請求項１】
表示手段と、
被検体に対して予め実施された検査の検査結果及び検査日時を含む医療情報を、前記被検体の識別情報に関連付けて予め記憶する記憶手段と、
前記医療情報に基づいて前記検査結果の経時変化を表すグラフ情報を前記表示手段に表示させる制御手段と、
を有する医療情報処理システムであって、
前記グラフ情報の一部を指定する指定手段を備え、
前記指定手段は、前記グラフ情報の一部を指定するために操作される操作手段を含み、
前記制御手段は、指定された前記グラフ情報の一部に対応する前記検査結果を検索し、該検査結果に関連付けられた医療行為について、指定された前記グラフ情報の一部に対応する前記検査日時に近い日時の医療行為情報を検索し、指定された前記グラフ情報の一部における前記検査結果の変動値を演算し、演算された変動値に略等しい変動値を含む他の被検体の医療情報を検索する演算手段を含み、検索された前記検査結果、前記医療行為情報、及び、前記他の被検体の医療情報を前記表示手段に表示させる、
ことを特徴とする医療情報処理システム。
【請求項２】
表示手段と、
被検体に対して予め実施された検査の検査結果及び検査日時を含む医療情報を、前記被検体の識別情報に関連付けて予め記憶する記憶手段と、
前記医療情報に基づいて前記検査結果の経時変化を表すグラフ情報を前記表示手段に表示させる制御手段と、
を有する医療情報処理システムであって、
前記グラフ情報の一部を指定する指定手段を備え、
前記指定手段は、前記検査結果又は前記グラフ情報に基づいて、前記グラフ情報において所定閾値以上の変動値を有する部分を特定し、特定された部分に対応する前記検査結果を検索し、特定された部分に対応する前記検査日時に近い日時の医療行為情報を検索し、特定された部分と略等しい変動値を有する検査結果を含む他の被検体の医療情報を検索する特定手段を含み、
前記制御手段は、検索された前記検査結果、前記医療行為情報、及び、前記他の被検体の医療情報を前記表示手段に表示させる、
ことを特徴とする医療情報処理システム。
【請求項３】
前記医療情報は、病名情報を含み、
前記制御手段は、前記他の被検体の病名情報を表示させる、
ことを特徴とする請求項１又は請求項２に記載の医療情報処理システム。
【請求項４】
表示手段と、操作手段と、被検体に対して予め実施された検査の検査結果及び検査日時を含む医療情報を、前記被検体の識別情報に関連付けて予め記憶する記憶手段とを有し、前記医療情報に基づいて前記検査結果の経時変化を表すグラフ情報を前記表示手段に表示させるコンピュータを、
前記グラフ情報の一部を指定する指定手段として機能させ、かつ、
指定された前記グラフ情報の一部に対応する前記検査結果を検索し、該検査結果に関連付けられた医療行為について、指定された前記グラフ情報の一部に対応する前記検査日時に近い日時の医療行為情報を検索し、指定された前記グラフ情報の一部における前記検査結果の変動値を演算し、演算された変動値に略等しい変動値を含む他の被検体の医療情報を検索し、検索された前記検査結果、前記医療行為情報、及び、前記他の被検体の医療情報を前記表示手段に表示させる制御手段として機能させる、
ことを特徴とするプログラム。
【請求項５】
表示手段と、被検体に対して予め実施された検査の検査結果及び検査日時を含む医療情報を、前記被検体の識別情報に関連付けて予め記憶する記憶手段とを有し、前記医療情報に基づいて前記検査結果の経時変化を表すグラフ情報を前記表示手段に表示させるコンピュータを、
前記グラフ情報において所定閾値以上の変動値を有する部分を特定する特定手段として機能させ、かつ、
前記検査結果又は前記グラフ情報に基づいて、前記グラフ情報において所定閾値以上の変動値を有する部分を特定し、特定された部分に対応する前記検査結果を検索し、特定された部分に対応する前記検査日時に近い日時の医療行為情報を検索し、特定された部分と略等しい変動値を有する検査結果を含む他の被検体の医療情報を検索し、検索された前記検査結果、前記医療行為情報、及び、前記他の被検体の医療情報を前記表示手段に表示させる制御手段として機能させる、
ことを特徴とするプログラム。
【発明の詳細な説明】
【技術分野】
【０００１】
この発明は、医療情報の処理を実行する医療情報処理システム及び当該システムに用いられるプログラムに関する。
【背景技術】
【０００２】
近年、各種の医療情報を電子化して一元的に管理するための医療情報処理システムが普及してきている。特許文献１には医療情報処理システムの例が開示されている。この医療情報処理システムは、複数の医療情報のグラフを、それらの表示期間を合わせて表示するものである。表示対象となるグラフとしては、眼圧の経時変化を表すグラフや、視野検査の検査結果の経時変化を表すグラフなどが開示されている。
【０００３】
更に、特許文献１の医療情報処理システムは、測定日付を選択可能に提示し、オペレータが選択した日付に対応する複数の医療情報を表示させることが可能である。
【０００４】
【特許文献１】特開２００５−３０１８１６号公報
【発明の開示】
【発明が解決しようとする課題】
【０００５】
このような従来の医療情報処理システムによれば、所望の日付に得られた医療情報をまとめて閲覧することは可能である。しかしながら、従来の医療情報処理システムでは、実際に医療情報を閲覧するときに不便を感じることがある。
【０００６】
たとえば、複数の検査結果を閲覧する場合において、或る検査結果から想定される異常を確認するために他の検査結果を参照することがある。その場合、従来の医療情報処理システムによれば、オペレータは、異常な検査結果が取得された日付を探し、この日付を手作業で入力する必要があったため、医療情報の閲覧作業を効率的に行うことができなかった。
【０００７】
この発明は、以上のような問題を解決するためになされたものであり、医療情報を閲覧する作業の効率の向上を図ることが可能な医療情報処理システム及びプログラムを提供することを目的とする。
【課題を解決するための手段】
【００１３】
上記目的を達成するために、請求項１に記載の発明は、表示手段と、被検体に対して予め実施された検査の検査結果及び検査日時を含む医療情報を、前記被検体の識別情報に関連付けて予め記憶する記憶手段と、前記医療情報に基づいて前記検査結果の経時変化を表すグラフ情報を前記表示手段に表示させる制御手段と、を有する医療情報処理システムであって、前記グラフ情報の一部を指定する指定手段を備え、前記指定手段は、前記グラフ情報の一部を指定するために操作される操作手段を含み、前記制御手段は、指定された前記グラフ情報の一部に対応する前記検査結果を検索し、該検査結果に関連付けられた医療行為について、指定された前記グラフ情報の一部に対応する前記検査日時に近い日時の医療行為情報を検索し、指定された前記グラフ情報の一部における前記検査結果の変動値を演算し、演算された変動値に略等しい変動値を含む他の被検体の医療情報を検索する演算手段を含み、検索された前記検査結果、前記医療行為情報、及び、前記他の被検体の医療情報を前記表示手段に表示させる、ことを特徴とする。
【００１４】
また、請求項２に記載の発明は、表示手段と、被検体に対して予め実施された検査の検査結果及び検査日時を含む医療情報を、前記被検体の識別情報に関連付けて予め記憶する記憶手段と、前記医療情報に基づいて前記検査結果の経時変化を表すグラフ情報を前記表示手段に表示させる制御手段と、を有する医療情報処理システムであって、前記グラフ情報の一部を指定する指定手段を備え、前記指定手段は、前記検査結果又は前記グラフ情報に基づいて、前記グラフ情報において所定閾値以上の変動値を有する部分を特定し、特定された部分に対応する前記検査結果を検索し、特定された部分に対応する前記検査日時に近い日時の医療行為情報を検索し、特定された部分と略等しい変動値を有する検査結果を含む他の被検体の医療情報を検索する特定手段を含み、前記制御手段は、検索された前記検査結果、前記医療行為情報、及び、前記他の被検体の医療情報を前記表示手段に表示させる、ことを特徴とする。
【００１７】
また、請求項３に記載の発明は、請求項１又は請求項２に記載の医療情報処理システムであって、前記医療情報は、病名情報を含み、前記制御手段は、前記他の被検体の病名情報を表示させる、ことを特徴とする。
【００１８】
また、請求項４に記載の発明は、表示手段と、操作手段と、被検体に対して予め実施された検査の検査結果及び検査日時を含む医療情報を、前記被検体の識別情報に関連付けて予め記憶する記憶手段とを有し、前記医療情報に基づいて前記検査結果の経時変化を表すグラフ情報を前記表示手段に表示させるコンピュータを、前記グラフ情報の一部を指定する指定手段として機能させ、かつ、指定された前記グラフ情報の一部に対応する前記検査結果を検索し、該検査結果に関連付けられた医療行為について、指定された前記グラフ情報の一部に対応する前記検査日時に近い日時の医療行為情報を検索し、指定された前記グラフ情報の一部における前記検査結果の変動値を演算し、演算された変動値に略等しい変動値を含む他の被検体の医療情報を検索し、検索された前記検査結果、前記医療行為情報、及び、前記他の被検体の医療情報を前記表示手段に表示させる制御手段として機能させる、ことを特徴とするプログラムである。
【００１９】
また、請求項５に記載の発明は、表示手段と、被検体に対して予め実施された検査の検査結果及び検査日時を含む医療情報を、前記被検体の識別情報に関連付けて予め記憶する記憶手段とを有し、前記医療情報に基づいて前記検査結果の経時変化を表すグラフ情報を前記表示手段に表示させるコンピュータを、前記グラフ情報において所定閾値以上の変動値を有する部分を特定する特定手段として機能させ、かつ、前記検査結果又は前記グラフ情報に基づいて、前記グラフ情報において所定閾値以上の変動値を有する部分を特定し、特定された部分に対応する前記検査結果を検索し、特定された部分に対応する前記検査日時に近い日時の医療行為情報を検索し、特定された部分と略等しい変動値を有する検査結果を含む他の被検体の医療情報を検索し、検索された前記検査結果、前記医療行為情報、及び、前記他の被検体の医療情報を前記表示手段に表示させる制御手段として機能させる、ことを特徴とするプログラムである。
【発明の効果】
【００２０】
この発明によれば、操作手段により指定されたグラフ情報の一部に対応する検査日時の検査結果を自動的に表示することができるので、医療情報を閲覧する作業の効率の向上を図ることが可能である。
【００２１】
また、この発明によれば、操作手段により指定されたグラフ情報の一部に対応する検査日時に近い実施日時の医療行為情報を自動的に表示することができるので、医療情報を閲覧する作業の効率の向上を図ることが可能である。
【００２２】
また、この発明によれば、指定手段により指定されたグラフ情報の一部に類似した検査結果を含む他の被検体の医療情報を自動的に表示することができるので、医療情報を閲覧する作業の効率の向上を図ることが可能である。更に、医師による診断を支援することも可能である。
【発明を実施するための最良の形態】
【００２３】
この発明に係る医療情報処理システム及びプログラムの実施形態の一例について、図面を参照しながら詳細に説明する。
【００２４】
以下に説明する実施形態は、この発明の眼科分野への適用例である。なお、この発明は、眼科分野だけではなく、他の診療科で用いられる医療情報処理システムに適用することも可能である。
【００２５】
〈第１の実施形態〉
この実施形態に係る医療情報処理システムは、所定の検査結果の経時変化を表すグラフ情報を表示する。表示されたグラフ情報の一部が指定されると、医療情報処理システムは、当該指定部分に対応する検査日時の検査結果（数値等）や、当該検査位置に近い日時に実施された医療行為に関する情報を表示する。以下、このように作用する医療情報処理システムについて詳しく説明する。
【００２６】
［システム構成］
まず、図１及び図２を参照し、この実施形態に係る医療情報処理システムの構成を説明する。ここで、図１は、この医療情報処理システムの機能的構成の一例を表し、図２は、この医療情報処理システムのハードウェア構成の一例を表す。
【００２７】
図１に示すように、医療情報処理システム１は、制御部１１、記憶部１２、操作部１３及び表示部１４を含んで構成される。
【００２８】
〔制御部〕
制御部１１は、医療情報処理システム１の各部を制御する。たとえば、制御部１１は、表示部１４に各種の画面やデータを表示させる。また、制御部１１は、操作部１３が操作されたときに、その操作内容に応じた処理を医療情報処理システム１に実行させる。
【００２９】
特に、制御部１１は、所定の検査結果の経時変化を表すグラフ情報を表示部１４に表示させるとともに、このグラフ情報の一部が指定されたときに、各種医療情報を表示部１４に表示させる。これらの処理の具体的な内容については後述する。制御部１１は、この発明の「制御手段」の一例である。
【００３０】
上記のように機能するために、制御部１１には、主制御部１１１、グラフ情報作成部１１２及び情報検索部１１３が設けられている。
【００３１】
（主制御部）
主制御部１１１は、表示部１４を制御して各種情報を表示させる。これらの情報の表示態様については後述する。
【００３２】
また、主制御部１１１は、各種の画面を表示部１４に表示させる。表示される画面としては、たとえば、情報の閲覧対象となる患者を指定するための画面や、情報を閲覧するための画面などがある。
【００３３】
また、主制御部１１１は、記憶部１２からのデータの読み出し処理や、記憶部１２に対するデータの書き込み処理を行う。
【００３４】
また、主制御部１１１は、院内ＬＡＮ等の通信回線を介してデータ通信を行うためのＬＡＮカード等の通信インターフェイスを備えていてもよい。この場合、記憶部１２は、通信回線上の記憶装置（データベース等）を含んでいてもよい。
【００３５】
（グラフ情報作成部）
グラフ情報作成部１１２は、所定の検査結果の経時変化を表すグラフ情報を生成する。そのために、グラフ情報作成部１１２は、グラフ情報の背景となるテンプレートを予め保持している。このテンプレートには、たとえば、時間経過を表す横軸と検査結果の値を表す縦軸とからなる２次元直交座標系が定義されている。
【００３６】
グラフ情報作成部１１２には、一の患者（一の検査部位）に対して複数回に亘って実施された検査の結果が入力される。各検査結果には、測定値と検査日時とが含まれている。グラフ情報作成部１１２は、各検査結果を上記テンプレートに合わせてプロットする。すなわち、グラフ情報作成部１１２は、各検査結果について、検査日時を横軸に合わせ、かつ、測定値を縦軸に合わせるようにして、上記テンプレート上におけるプロット位置を決定する。
【００３７】
なお、グラフ情報作成部１１２は、複数の検査結果の時間的範囲（最初の検査から最後の検査までの時間間隔）に応じて、横軸のスケールを自動的に調整することができる。同様に、グラフ情報作成部１１２は、複数の検査結果の測定値の範囲（測定値の最小値と最大値との差）に応じて、縦軸のスケールを自動的に調整することができる。
【００３８】
また、この実施形態において「日時」とは、日付（年、月、日など）のみであってもよいし、時刻（時、分、秒など）のみであってもよいし、日付と時刻の双方であってもよい。すなわち、「日時」とは、検査等の医療行為が実施されたタイミングを判別できる情報であれば十分である。
【００３９】
（情報検索部）
情報検索部１１３は、表示部１４に表示されたグラフ情報の一部が操作部１３を用いて指定されたときに、この指定部分に応じた医療情報を検索する。この処理の具体的な内容については後述する。
【００４０】
〔記憶部〕
記憶部１２は、各種の情報を記憶する。特に、記憶部１２は、医療情報１２１と関連情報１２５が記憶される。記憶部１２は、この発明の「記憶手段」の一例である。
【００４１】
医療情報１２１は、診断や治療において参照される情報である。医療情報１２１には、眼圧情報１２２、検査情報１２３及び画像情報１２４が含まれる。なお、記憶部１２には、各患者毎の医療情報１２１が記憶されている。各患者の医療情報１２１は、患者毎に予め付与された識別情報により識別可能とされている。この識別情報の例としては、患者ＩＤ、保険証番号、患者氏名などがある。
【００４２】
眼圧情報１２２は、被検眼に対する眼圧検査により取得された情報である。眼圧情報１２２には、その検査日時と検査結果（眼圧値）とが含まれている。検査日時と眼圧値は、各眼圧検査毎に互いに関連付けられて記憶される。この実施形態においては、眼圧情報１２２は、一の被検眼に対して複数回に亘って実施された眼圧検査のそれぞれにおける検査日時と眼圧値とが含まれている。
【００４３】
検査情報１２３には、眼科検査を含む各種の医学検査について、その検査日時と検査結果とが含まれている。検査日時と検査結果は、各医学検査毎に互いに関連付けられて記憶される。
【００４４】
なお、眼圧情報１２２も被検眼に対する検査により取得される情報の一例であるが、この実施形態では、説明を分かり易くするために、グラフ情報に供される検査情報（眼圧情報１２２）と、それ以外の検査情報（検査情報１２３）とを別々に記載してある。
【００４５】
検査情報１２３に含まれる眼科検査の検査結果の例としては、次のようなものがある。
（１）自覚検眼装置による検査結果（自覚値）
（２）他覚検眼装置による検査結果（他覚値）
（３）ケラトメータによる角膜屈折力や角膜曲率半径や主経線角度の検査結果
（４）スペキュラーマイクロスコープによる角膜内皮細胞密度の検査結果
（５）眼底画像に基づく視神経乳頭のＣ／Ｄ比（Ｃｕｐ／Ｄｉｓｃ比）やＲ／Ｄ比（Ｒｉｍ／Ｄｉｓｃ比）の検査結果
（６）眼底画像に基づく網膜の厚さ（単層の厚さ、複数層の厚さ）の検査結果
（７）角膜画像に基づく隅角の角度の検査結果
【００４６】
ここで、（５）で参照される眼底画像は、たとえば、光コヒーレンストモグラフィ（Ｏｐｔｉｃａｌ  Ｃｏｈｅｒｅｎｃｅ  Ｔｏｍｏｇｒａｐｈｙ；ＯＣＴ）装置により取得される眼底の断層画像や、立体眼底カメラにより取得される眼底の立体画像である。また、（６）で参照される眼底画像は、たとえば、ＯＣＴ装置により取得される眼底の断層画像である。また、（７）で参照される角膜画像は、たとえば、ＯＣＴ装置により取得される角膜の断層画像である。
【００４７】
なお、検査情報１２３に含まれる検査結果は、上記の検査に限定されるものではなく、任意の医学検査の検査結果であってよい。眼科以外の診療科における検査結果の例としては、心電計による検査結果（心電図）、血圧検査、脳波検査、聴覚検査の検査結果、血液検査の検査結果（特定物質の含有密度など）、腫瘍のサイズの計測結果などがある。
【００４８】
画像情報１２４には、医用画像（の画像データ）と、その取得日時とが含まれている。眼科における医用画像の例としては、たとえば次のようなものがある。
（１）眼底カメラにより撮影された眼底像
（２）スリットランプにより撮影された前眼部像
（３）ＯＣＴ装置により取得された眼底や角膜の断層画像や三次元画像
（４）スペキュラーマイクロスコープにより撮影された角膜細胞の画像
【００４９】
また、眼科以外の診療科における医用画像としては、Ｘ線写真、Ｘ線ＣＴ（Ｃｏｍｐｕｔｅｄ  Ｔｏｍｏｇｒａｐｈｙ）画像、ＭＲＩ（Ｍａｇｎｅｔｉｃ  Ｒｅｓｏｎａｎｃｅ  Ｉｍａｇｉｎｇ）画像、ＰＥＴ（Ｐｏｓｉｔｒｏｎ  Ｅｍｉｓｓｉｏｎ  Ｔｏｍｏｇｒａｐｈｙ）画像、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）画像、超音波画像などがある。
【００５０】
なお、医療情報１２１には、上記の情報以外にも、患者に投与された薬剤名（眼圧を変化させる薬剤がある）や、患者に対して実施された手術名（眼科手術後に眼圧が変化することがある）などが含まれていてもよい。これらの各情報は、その実施日時に関連付けられて記憶される。これらの情報は、この発明の「医療行為情報」の一例である。
【００５１】
関連情報１２５は、グラフ情報として表示される検査と医療行為とを関連付ける情報である。特に、関連情報１２５は、グラフ情報として表示される検査に対して、その検査結果に影響を与える医療行為や、その検査結果から影響を受ける医療行為を関連付ける。関連情報１２５は、情報検索部１１３が医療情報を検索するときに参照される。
【００５２】
この実施形態では、上記のように、眼圧情報に基づいてグラフ情報が表示される。関連情報１２５には、眼圧検査と医療行為とが関連付けられている。情報検索部１１３は、グラフ情報の一部が指定されたときに、関連情報１２５において「眼圧検査」に関連付けられている医療行為を特定する。この実施形態の関連情報１２５は、「眼圧検査」に対し、眼圧に関係する医療行為として、「自覚検眼」、「他覚検眼」、「角膜検査」、「眼底像」を関連付けているものとする。それにより、情報検索部１１３は、眼圧の経時変化を表すグラフ情報の一部が指定されたときに、これらの医療行為に関する情報を検索するように機能する。
【００５３】
関連情報１２５は、事前に作成されて記憶部１２に記憶される。なお、オペレータは、関連情報１２５による関連付けを適宜に変更することが可能である。
【００５４】
〔操作部〕
操作部１３は、オペレータが医療情報処理システム１を操作するときや、各種情報を入力するときに使用される。操作部１３は、オペレータによる操作を受けると、その操作内容に応じた信号（操作信号）を生成して主制御部１１１に入力する。主制御部１１１は、この信号に基づいて医療情報処理システム１を制御する。
【００５５】
操作部１３は、キーボード、マウス、トラックボール、ジョイスティック、コントロールパネルなど、任意の操作デバイスや入力デバイスを含んで構成される。操作部１３は、この発明の「操作手段」の一例である。
【００５６】
〔表示部〕
表示部１４は、主制御部１１１の制御にしたがって各種の画面やデータを表示する。表示部１４は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスにより構成される。表示部１４は、この発明の「表示手段」の一例である。
【００５７】
なお、図１においては、操作部１３と表示部１４とがそれぞれ個別に記載されているが、操作手段と表示手段とを一体化したデバイスを用いることも可能である。そのようなデバイスとしては、たとえば、ペン・タブレットやタッチパネル方式のＬＣＤなどがある。
【００５８】
［ハードウェア構成］
次に、図２を参照しつつ、医療情報処理システム１のハードウェア構成について説明する。医療情報処理システム１は、コンピュータ１００を少なくとも含んで構成されている。医療情報処理システム１は、更にデータベース２００や検査装置３１０〜３３０を含んでいてもよい。
【００５９】
コンピュータ１００は、医療情報の閲覧作業や編集作業などに用いられる。データベース２００は、医療情報等の各種情報を保管し管理するサーバ等を含む。
【００６０】
各検査装置３１０、３２０、３３０は、医学検査に使用される装置である。眼科分野における検査装置としては、たとえば、眼底カメラ、スリットランプ（細隙灯顕微鏡）、ＯＣＴ装置、ＳＬＯ（Ｓｃａｎｎｉｎｇ  Ｌａｓｅｒ  Ｏｐｈｔｈａｌｍｏｓｃｏｐｅ）装置、視力検査装置（自覚検眼用）、オートレフラクトメータ（他覚検眼用）、オートケラトメータ（角膜検査用）、眼圧計、視野計、眼軸長計測装置などがある。
【００６１】
また、眼科以外の診療科においては、Ｘ線診断装置、Ｘ線ＣＴ装置や、ＭＲＩ装置、ＰＥＴ、ＳＰＥＣＴなど、被検体の内部形態や機能を撮影する医用画像診断装置がある。更に、心電計や血圧計など、各診療科の診療内容に応じた各種の検査装置が用いられる。
【００６２】
コンピュータ１００とデータベース２００は、院内ＬＡＮ（Ｌｏｃａｌ  Ａｒｅａ  Ｎｅｔｗｏｒｋ）等の通信回線Ｎを介して接続されている。また、データベース２００と各検査装置３１０〜３３０も通信回線Ｎを介して接続されている。
【００６３】
各検査装置３１０〜３３０は、取得した検査結果を検査日時とともにデータベース２００に送信する。データベース２００は、検査結果や検査日時を各患者毎に保管する。また、データベース２００には、通信回線Ｎ上のコンピュータ（コンピュータ１００であってもよい）から、医療行為名（薬剤名、手術名等）やその実施日時が入力される。データベース２００は、これらの情報を各患者毎に保管する。
【００６４】
オペレータは、コンピュータ１００を操作して、医療情報の閲覧や編集の要求を入力する。この要求は、たとえば、患者ＩＤ等の患者識別情報を入力又は選択し、所定のソフトキー（医療情報の検索を指示するソフトキー）をクリックすることにより行う。コンピュータ１００は、入力された要求をデータベース２００に送信する。データベース２００は、この要求に基づいて医療情報を検索し、その検索結果をコンピュータ１００に送信する。
【００６５】
なお、コンピュータ１００と検査装置３１０〜３３０とが通信可能に構成されている場合には、検査装置３１０〜３３０からコンピュータ１００に直接に検査結果等を入力するようにしてもよい。
【００６６】
次に、コンピュータ１００の構成例を説明する。コンピュータ１００は、たとえば、制御部１１、記憶部１２、操作部１３及び表示部１４として機能する。なお、記憶部１２は、データベース２００や検査装置３１０〜３３０を含んでいてもよい。
【００６７】
コンピュータ１００は、一般的なコンピュータと同様に、マイクロプロセッサ１０１、ＲＡＭ１０２、ＲＯＭ１０３、ハードディスクドライブ（ＨＤＤ）１０４、ペン・タブレット１０５、ディスプレイ１０６、キーボード１０７、マウス１０８、通信インターフェイス（Ｉ／Ｆ）１０９などを含んで構成される。これらの各部１０１〜１０９は、バス１１０を介して接続されている。コンピュータ１００には、プリンタやドライブ装置等の外部機器が接続されていてもよい。
【００６８】
マイクロプロセッサ１０１は、ＣＰＵ（Ｃｅｎｔｒａｌ  Ｐｒｏｃｅｓｓｉｎｇ  Ｕｎｉｔ）等を含んで構成される。ＲＡＭ１０２は、主記憶装置として機能する。ＲＯＭ１０３及びハードディスクドライブ１０４は、外部記憶装置として機能する。マイクロプロセッサ１０１は、ハードディスクドライブ１０４に格納されたプログラム１０４ａをＲＡＭ１０２上に展開することにより、この実施形態に特有の動作をコンピュータ１００に実行させる。
【００６９】
また、マイクロプロセッサ１０１は、コンピュータ１００の各部の制御や各種の演算処理を実行する。制御部１１は、マイクロプロセッサ１０１、ＲＡＭ１０２、ＲＯＭ１０３、ハードディスクドライブ１０４等を含んで構成される。
【００７０】
記憶部１２は、ハードディスクドライブ１０４を含んで構成される。なお、記憶部１２は、更にＲＡＭ１０２やＲＯＭ１０３を含んでいてもよい。
【００７１】
ペン・タブレット１０５、ディスプレイ１０６、キーボード１０７、マウス１０８は、ユーザインターフェイスとして使用される。ペン・タブレット１０５は、コンピュータ１００の本体にたとえばＵＳＢ（Ｕｎｉｖｅｒｓａｌ  Ｓｅｒｉａｌ  Ｂｕｓ）接続される。ペン・タブレット１０５は、操作部１３及び表示部１４として機能する。ディスプレイ１０６は、表示部１４として機能する。
【００７２】
キーボード１０７は、文字や数字等をタイピング入力するためのデバイスである。マウス１０８は、ディスプレイ１０６に表示されるポインタを移動させて表示画面上のオブジェクトを選択したり、各種動作を実行させたりするためのポインティングデバイスである。キーボード１０７やマウス１０８は、操作部１３として機能する。
【００７３】
通信インターフェイス１０９は、マイクロプロセッサ１０１の制御に基づいて、通信回線Ｎを介したデータ通信を行う。通信インターフェイス１０９は、通信回線Ｎに準拠したＬＡＮカード等のネットワークアダプタを含んで構成される。通信インターフェイス１０９は、たとえば制御部１１に含まれる。
【００７４】
データベース２００は、コンピュータ１００と同様のハードウェア構成を有する。データベース２００は、大量の医用画像やカルテ情報などを保管するために、大容量の記憶装置を備えていることが望ましい。データベース２００としては、たとえば汎用のファイルサーバを用いることができる。
【００７５】
［動作］
医療情報処理システム１の動作について説明する。図３に示すフローチャートは、医療情報処理システム１の動作の一例を表す。
【００７６】
オペレータが所定の操作を行ったことに対応し、主制御部１１１は、所定の患者選択画面（図示せず）を表示部１４に表示させる。オペレータは、操作部１３を操作して、医療情報の閲覧対象となる患者の識別情報を入力する（Ｓ１）。このとき、必要に応じて、眼圧のグラフ情報の表示要求や、左眼／右眼の選択を行う。
【００７７】
主制御部１１１は、入力された識別情報に基づいて、当該患者の眼圧情報１２２を記憶部１２から読み出してグラフ情報作成部１１２に送る。グラフ情報作成部１１２は、眼圧情報１２２に基づいて、眼圧の経時変化を表すグラフ情報を作成する（Ｓ２）。主制御部１１１は、この眼圧のグラフ情報を表示部１４に表示させる（Ｓ３）。
【００７８】
眼圧のグラフ情報の表示態様を図４に示す。主制御部１１１は、ステップ３において、医療情報閲覧画面２０を表示部１４に表示させる。医療情報閲覧画面２０には、グラフ情報表示部２１と、医療情報表示部２２、２３が設けられている。主制御部１１１は、ステップ２で作成されたグラフ情報をグラフ情報表示部２１内に表示させる。なお、ステップ３が終了した段階では、医療情報表示部２２、２３には何も表示されていない。
【００７９】
図４に示すグラフ情報Ｇは、「日付」を横軸とし、「ＩＯＰ（Ｉｎｔｒａｏｃｕｌａｒ  Ｐｒｅｓｓｕｒｅ）：眼圧」」を縦軸とする２次元直交座標系により定義されたグラフである。グラフ情報Ｇ上の４つのプロット点Ｐ１〜Ｐ４は、４回実施された眼圧検査により取得された眼圧値を表している。
【００８０】
オペレータは、操作部１３を操作して、グラフ情報Ｇの一部を指定する（Ｓ４）。この操作の一例として、マウス１０８を用いて所望のプロット点Ｐｉ（ｉ＝１〜４）をクリックすることができる。ここでは、プロット点Ｐ２が指定されたものとする。
【００８１】
主制御部１１１は、操作部１３からの操作信号に基づいて、プロット点Ｐ２が指定されたことを認識し、その認識結果を情報検索部１１３に入力する。情報検索部１１３は、たとえばプロット点Ｐ２の日付を参照し、プロット点Ｐ２に対応する眼圧値を眼圧情報１２２から検索する（Ｓ５）。なお、グラフ情報Ｇの作成に使用された情報が制御部１１に残っている場合には、この情報のうちから目的の眼圧値を選択することができる。
【００８２】
また、情報検索部１１３は、関連情報１２５により「眼圧検査」に関連付けられた各医療行為について、プロット点Ｐ２に対応する検査日時に近い実施日時の医療行為情報を検索する（Ｓ６）。なお、ステップ５とステップ６は、どちらを先に実行してもよいし、双方を並行して実行してもよい。
【００８３】
ステップ６の処理の具体例を説明する。まず、情報検索部１１３は、プロット点Ｐ２に対応する検査日時（図４より「２００７／５／２３」）を特定する。次に、情報検索部１１３は、関連情報１２５を参照し、グラフ情報に示す検査（眼圧検査）に関連付けられた医療行為（自覚検眼、他覚検眼、角膜検査、眼底像：前述）を特定する。
【００８４】
続いて、情報検索部１１３は、特定された各医療行為について、プロット点Ｐ２に対応する検査日時に近い実施日時の医療行為情報を検索する。このとき、情報検索部１１３は、特定された各医療行為について、当該検査日時に最も近い実施日時の医療行為情報を含む１つ以上の医療行為情報を検索する。
【００８５】
この動作態様においては、次の医療行為情報が検索される。
（１）検査情報１２３に含まれる当該被検眼に対する自覚検眼の検査結果のうち、検査日時が２００７／５／２３に最も近いものを含む、１つ以上の自覚検眼の検査結果
（２）検査情報１２３に含まれる当該被検眼に対する他覚検眼の検査結果のうち、検査日時が２００７／５／２３に最も近いものを含む、１つ以上の他覚検眼の検査結果
（３）検査情報１２３に含まれる当該被検眼に対する角膜検査の検査結果（角膜屈折力、角膜曲率半径、主経線角度）のうち、検査日時が２００７／５／２３に最も近い検査結果を含む、１つ以上の角膜検査の検査結果
（４）画像情報１２４に含まれる当該被検眼の眼底像のうち、撮影日時が２００７／５／２３に最も近い眼底像を含む、１つ以上の眼底像
【００８６】
主制御部１１１は、ステップ５で検索された眼圧値と、ステップ６で検索された医療行為情報とを、表示部１４に表示させる（Ｓ７）。
【００８７】
ステップ７による表示態様を図５に示す。この表示態様は、指定されたプロット点Ｐ２に対応する検査日時（２００７／５／２３）に最も近い実施日時の医療行為情報のみを表示させた場合を表している。
【００８８】
医療情報閲覧画面２０のグラフ情報表示部２１には、グラフ情報Ｇがそのまま表示される。医療情報表示部２２には、ステップ５で検索された眼圧値と、ステップ６で検索された自覚検眼、他覚検眼及び角膜検査の各検査結果とが表示される。
【００８９】
眼圧値としては、２００７／５／２３に実施された眼圧検査で得られた左眼及び右眼の各眼圧値が表示される。自覚検眼の検査結果としては、２００７／５／２２に実施された自覚検眼で得られた左眼及び右眼の各自覚値が表示される。この自覚値は、裸眼視力であってもよいし、矯正視力であってもよい。他覚検眼の検査結果としては、２００７／５／２３に実施された他覚検眼で得られた左眼及び右眼の各他覚値が表示される。角膜検査の検査結果としては、２００７／５／２４に実施された角膜検査で得られた左眼及び右眼の各眼の角膜屈折力、角膜曲率半径及び主経線角度が表示される。
【００９０】
また、医療情報表示部２３には、２００７／５／２３に撮影された当該被検眼（グラフ情報Ｇに係る被検眼）の眼底像Ｅｆが表示される。
【００９１】
オペレータは、医療情報表示部２２、２３に表示された情報をグラフ情報Ｇとともに閲覧することにより診断などを行う。以上で、医療情報処理システム１の動作の説明を終了する。
【００９２】
［作用・効果］
医療情報処理システム１の作用及び効果について説明する。
【００９３】
医療情報処理システム１は、所定の検査結果の経時変化を表すグラフ情報（眼圧のグラフ情報Ｇ）を表示する。医療情報処理システム１は、このグラフ情報の一部がオペレータにより指定されると、その指定部分に対応する検査日時の検査結果を表示するように作用する。
【００９４】
また、医療情報処理システム１は、グラフ情報の一部が指定されたときに、その指定部分に対応する検査日時に最も近い実施日時の医療行為情報を含む１つ以上の医療行為情報を検索して表示するように作用する。表示対象となる医療行為情報は、関連情報１２５を参照して特定される。
【００９５】
このような医療情報処理システム１によれば、グラフ情報として呈示された検査結果（眼圧値）に異常が見られる場合などに、オペレータは、グラフ情報中の注目部分を指定するだけで、その注目部分の計測値を把握することができる。
【００９６】
また、オペレータは、グラフ情報中の注目部分を指定するだけで、他の検査結果等の医療情報を参照することができる。特に、医療情報処理システム１によれば、指定された注目部分に対応する検査日時に（最も）近い日時に実施された医療行為の情報を把握することが可能である。
【００９７】
このような医療情報処理システム１によれば、医療情報を閲覧する作業の効率の向上を図ることが可能になる。
【００９８】
［変形例］
医療情報処理システム１の変形例を説明する。なお、以下の変形例は、第２の実施形態に係る医療情報処理システムに対しても任意に適用可能である。
【００９９】
上記の実施形態では、オペレータが指定したグラフ情報中の一部に対応する検査日時に最も近い医療行為情報のみを表示するようになっているが、更に他の医療行為情報をも表示するようにしてもよい。たとえば、当該検査日時に最も近い日時に得られた医療行為情報と、２番目に近い日時に得られた医療行為情報とを表示するように構成することが可能である。
【０１００】
また、オペレータが指定したグラフ情報中の一部に対応する検査日時を含む所定期間内に得られた医療行為情報を表示することも可能である。そのための構成の一例として、情報検索部１１３は、当該所定期間に実施日時が含まれる医療行為に関する医療行為情報を記憶部１２から検索する。主制御部１１１は、検索された医療行為情報のうちの一部又は全部を表示部１４に表示させる。
【０１０１】
また、上記の実施形態では、グラフ情報Ｇ中の１つのプロット点Ｐｉを指定するようになっているが、複数のプロット点を指定することも可能である。その場合、指定された各プロット点について、上記と同様の処理を施す。この場合における情報の表示態様としては、複数のプロット点に対応する医療情報を同時に表示させてもよいし、それらを切り替え表示させてもよい。
【０１０２】
〈第２の実施形態〉
この実施形態に係る医療情報処理システムは、所定の検査結果の経時変化を表すグラフ情報を表示する。グラフ情報の一部が指定されると、医療情報処理システムは、この指定部分に類似した検査結果を含む他の被検体（患者）の医療情報を表示する。以下、このように作用する医療情報処理システムについて詳しく説明する。
【０１０３】
［システム構成］
この実施形態に係る医療情報処理システムの構成例を図６に示す。なお、この実施形態に係る医療情報処理システムは、第１の実施形態と同様のハードウェア構成を有する（図２参照）。
【０１０４】
図６に示す医療情報処理システム１０は、第１の実施形態とほぼ同様に構成されている。第１の実施形態との主たる相違は、情報検索部１１３の機能である（後述）。
【０１０５】
また、医療情報処理システム１０の記憶部１２には、複数の患者の医療情報１２１（ｊ）が記憶されている（ｊ＝１〜Ｎ）。各患者の医療情報１２１（ｊ）は、患者ＩＤ等の識別情報に関連付けられて記憶されている。それにより、各患者の医療情報１２１（ｊ）を識別することができる。
【０１０６】
また、各患者の医療情報１２１（ｊ）には、病名情報１２６（ｊ）が含まれている。病名情報１２６（ｊ）は、当該患者が罹患している病気の名称を表す情報である。病名情報１２６（ｊ）は、たとえば当該患者の電子カルテ情報に含まれている。なお、病名が未だ確定していない患者については、医療情報１２１（ｊ）に病名情報１２６（ｊ）が含まれている必要はない。
【０１０７】
以下、医療情報処理システム１０の２つの動作態様を説明する。また、各動作態様における情報検索部１１３の機能についても説明する。
【０１０８】
［第１の動作態様］
図７に示すフローチャートを参照しつつ、医療情報処理システム１０の第１の動作態様を説明する。まず、第１の実施形態と同様に、医療情報の閲覧対象となる患者の識別情報が入力されると（Ｓ１１）、主制御部１１１は、当該患者の眼圧情報１２２（Ｊ）を記憶部１２から読み出してグラフ情報作成部１１２に送る。グラフ情報作成部１１２は、眼圧情報１２２（Ｊ）に基づいて、眼圧の経時変化を表すグラフ情報を作成する（Ｓ１２）。主制御部１１１は、この眼圧のグラフ情報を表示部１４に表示させる（Ｓ１３）。このときの表示態様は、第１の実施形態と同様である（図４参照）。
【０１０９】
オペレータは、操作部１３を操作してグラフ情報Ｇの一部を指定する（Ｓ１４）。この実施形態では、グラフ情報Ｇの変動部分が指定される。この変動部分の指定方法の例として、（隣接する）２つのプロット点Ｐｉ、Ｐ（ｉ＋１）を指定することができる（ｉ＝１〜３）。また、隣接する２つのプロット点Ｐｉ、Ｐ（ｉ＋１）を結ぶ線を指定するようにしてもよい。なお、この指定操作は、第１の実施形態と同様にマウス１０８によるクリック操作により行うことができる。また、マウス１０８によるドラッグ操作により所望の範囲を指定するようにしてもよい。ここでは、眼圧値が急激に上昇している部分として、プロット点Ｐ１、Ｐ２が指定されたものとする。
【０１１０】
主制御部１１１は、操作部１３からの操作信号に基づいて、プロット点Ｐ１、Ｐ２が指定されたことを認識し、その認識結果を情報検索部１１３に入力する。情報検索部１１３は、たとえばプロット点Ｐ１、Ｐ２の日付を参照し、各プロット点Ｐ１、Ｐ２に対応する眼圧値を眼圧情報１２２から検索する（Ｓ１５）。なお、グラフ情報Ｇの作成に使用された情報が制御部１１に残っている場合には、この情報のうちから目的の眼圧値を選択することができる。
【０１１１】
また、情報検索部１１３は、第１の実施形態と同様にして、関連情報１２５により「眼圧検査」に関連付けられた各医療行為について、各プロット点Ｐ１、Ｐ２に対応する検査日時に近い実施日時の医療行為情報をそれぞれ検索する（Ｓ１６）。
【０１１２】
ステップ１６において、プロット点Ｐ１、Ｐ２の一方についてのみ、医療行為情報を検索するようにしてもよい。その場合、眼圧値が高い方（プロット点Ｐ２）の医療行為情報を検索することが望ましい。
【０１１３】
更に、情報検索部１１３は、グラフ情報Ｇの指定部分に類似した検査結果を含む他の患者の医療情報１２１（ｋ）を検索する（Ｓ１７）。このとき、情報検索部１１３は病名情報１２６（ｋ）を検索する（ｋ＝１〜Ｎ、ｋ≠Ｊ）。更に、情報検索部１１３は、関連情報１２５により「眼圧検査」に関連付けられた各医療行為に関する医療行為情報を、医療情報１２１（ｋ）中から検索してもよい。
【０１１４】
ステップ１７の処理例を説明する。まず、情報検索部１１３は、グラフ情報Ｇの指定部分における眼圧の変動値を演算する。この処理は、たとえば、プロット点Ｐ２での眼圧値からプロット点Ｐ１での眼圧値を減算することにより行う。変動値は、このような変動量であってもよいし、変動率であってもよい。後者の場合の上記処理は、たとえば、プロット点Ｐ２での眼圧値をプロット点Ｐ１での眼圧値で除算することにより行う。
【０１１５】
次に、情報検索部１１３は、演算された変動値とほぼ等しい変動値を有する眼圧情報１２２（ｋ）を探索する。この処理は、たとえば、各眼圧情報１２２（ｋ）について、プロット点の間における眼圧の変動値（つまり、異なる検査日時に得られた眼圧値の差）を演算して上記演算値と比較することにより行う。なお、各眼圧情報１２２（ｋ）の変動値については、予め演算しておいてもよい。
【０１１６】
それにより、情報検索部１１３は、演算された変動値とほぼ等しい変動値を有する眼圧情報１２２（ｋ）を含む医療情報１２１（ｋ）を特定する。そして、情報検索部１１３は、特定された各医療情報１２１（ｋ）から、眼圧情報１２２（ｋ）や検査情報１２３（ｋ）や画像情報１２４（ｋ）や病名情報１２６（ｋ）を記憶部１２から読み出す。以上で、ステップ１７の説明を終了する。
【０１１７】
ここで、ステップ１５、ステップ１６及びステップ１７は、任意の順序で実行することが可能である。
【０１１８】
主制御部１１１は、ステップ１５で検索された眼圧値と、ステップ１６で検索された医療行為情報と、ステップ１７で検索された他の患者の医療情報１２１（ｋ）（特に病名情報１２６（ｋ））とを、表示部１４に表示させる（Ｓ１８）。
【０１１９】
ステップ１８による表示態様を図８に示す。この表示態様では、第１の実施形態と同様にグラフ情報Ｇ及び医療行為情報を表示している。
【０１２０】
更に、この表示態様に係る医療情報閲覧画面２０には、他の患者の医療情報を表示するための類似患者情報表示部２４が設けられている。類似患者情報表示部２４には、ステップ１７で検索された他の患者の病名情報１２６（ｋ）等の医療情報が表示される。類似患者情報表示部２４に表示される項目は、適宜に変更することが可能である。
【０１２１】
以上で、第１の動作態様の説明を終了する。なお、この動作態様においては、操作部１３は、この発明の「操作手段」及び「指定手段」の一例として機能し、情報検索部１１３は、この発明の「演算手段」の一例として機能する。
【０１２２】
［第２の動作態様］
図９に示すフローチャートを参照しつつ、医療情報処理システム１０の第２の動作態様を説明する。まず、第１の実施形態と同様に、医療情報の閲覧対象となる患者の識別情報が入力されると（Ｓ２１）、主制御部１１１は、当該患者の眼圧情報１２２（Ｊ）を記憶部１２から読み出してグラフ情報作成部１１２に送る。グラフ情報作成部１１２は、眼圧情報１２２（Ｊ）に基づいて、眼圧の経時変化を表すグラフ情報を作成する（Ｓ２２）。主制御部１１１は、この眼圧のグラフ情報を表示部１４に表示させる（Ｓ２３）。このときの表示態様は、第１の実施形態と同様である（図４参照）。
【０１２３】
情報検索部１１３は、眼圧情報１２２（Ｊ）又はグラフ情報に基づいて、グラフ情報において所定閾値以上の変動値を有する部分を特定する（Ｓ２４）。この処理の具体例を説明する。
【０１２４】
まず、情報検索部１１３は、眼圧情報１２２（Ｊ）（又はグラフ情報）に基づいて、隣接する２つのプロット点Ｐｉ、Ｐ（ｉ＋１）の眼圧値の変動値を演算する（ｉ＝１〜３）。この処理は、第１の動作態様のステップ１７と同様にして実行できる。次に、情報検索部１１３は、各変動値と所定閾値との大小関係を比較し、所定閾値以上の変動値を有するプロット点Ｐｉ、Ｐ（ｉ＋１）のペアを特定する。なお、所定閾値は事前に設定されている。所定閾値は、たとえば、緑内障患者の眼圧値の臨床データに基づいて統計的に決定される。
【０１２５】
所定閾値以上の変動値を有する部分が無い場合（Ｓ２５：Ｎｏ）、処理は終了となる。なお、最大の変動値を有する部分の眼圧値を表示させたり、当該部分に対応する検査日時に近い医療情報を表示させるなど、任意の処理を適宜に実行するように構成することも可能である。
【０１２６】
一方、所定閾値以上の変動値を有する部分が特定された場合（Ｓ２５：Ｙｅｓ）、情報検索部１１３は、第１の実施形態と同様にして、関連情報１２５により「眼圧検査」に関連付けられた各医療行為について、ステップ２４で特定された部分に対応する検査日時に近い実施日時の医療行為情報を検索する（Ｓ２６）。このとき、特定された部分に対応するプロット点Ｐｉ、Ｐ（ｉ＋１）の一方についてのみ、医療行為情報を検索するようにしてもよい。その場合、眼圧値が高い方の医療行為情報を検索することが望ましい。
【０１２７】
更に、情報検索部１１３は、第１の動作態様と同様に、ステップ２４で特定されたグラフ情報Ｇの部分に類似した検査結果を含む、他の患者の医療情報１２１（ｋ）を検索する（Ｓ２７）。検索される医療情報１２１（ｋ）には、特に、病名情報１２６（ｋ）が含まれる（ｋ＝１〜Ｎ、ｋ≠Ｊ）。
【０１２８】
主制御部１１１は、ステップ２４で特定されたグラフ情報の部分における眼圧値と、ステップ２６で検索された医療行為情報と、ステップ２７で検索された他の患者の医療情報１２１（ｋ）とを、表示部１４に表示させる（Ｓ２８）。この表示態様は、第１の動作態様と同様である（図８参照）。
【０１２９】
以上で、第２の動作態様の説明を終了する。なお、この動作態様においては、情報検索部１１３は、この発明の「特定手段」及び「指定手段」の一例として機能する。
【０１３０】
［作用・効果］
医療情報処理システム１０の作用及び効果について説明する。
【０１３１】
医療情報処理システム１０は、所定の検査結果の経時変化を表すグラフ情報（眼圧のグラフ情報Ｇ）を表示する。医療情報処理システム１０は、グラフ情報の一部が指定されると、グラフ情報の一部に類似した検査結果を含む他の患者の医療情報１２１（ｋ）を表示するように作用する。医療情報１２１（ｋ）には、特に、他の患者の病名情報１２６（ｋ）が含まれている。
【０１３２】
ここで、グラフ情報の指定は、オペレータが手作業で行ってもよいし（第１の動作態様）、医療情報処理システム１０が自動的に行ってもよい（第２の動作態様）。
【０１３３】
また、医療情報処理システム１０は、グラフ情報の一部が指定されたときに、その指定部分に対応する検査日時に近い実施日時の医療行為情報を検索して表示するように作用する。表示対象となる医療行為情報は、関連情報１２５を参照して特定される。
【０１３４】
このような医療情報処理システム１０によれば、グラフ情報として呈示された検査結果（眼圧値）に異常が見られる場合などに、その注目部分に類似した症例の患者の医療情報１２１（ｋ）を容易に参照することができる。
【０１３５】
また、グラフ情報中の注目部分に対応する、他の検査結果等の医療情報を容易に参照することができる。特に、指定された注目部分に対応する検査日時に（最も）近い日時に実施された医療行為の情報を把握することが可能である。
【０１３６】
このような医療情報処理システム１０によれば、医療情報を閲覧する作業の効率の向上を図ることが可能になる。また、医療情報処理システム１０によれば、医師は他の患者の医療情報１２１（ｋ）を参照できるので、診療を支援することが可能である。
【０１３７】
［プログラム］
この発明に係るプログラムは、表示手段、操作手段と及び記憶手段とを有するコンピュータを制御するものである。記憶手段には、被検体に対して予め実施された検査の検査結果及び検査日時を含む医療情報が予め記憶されている。このコンピュータは、医療情報に基づいて、上記検査結果の経時変化を表すグラフ情報を表示する。
【０１３８】
上記実施形態のプログラム１０４ａは、この発明に係るプログラムの例である。また、前述の医療情報処理システム１、１０（特にコンピュータ１００）は、それぞれ、この発明に係るプログラムにより制御されるコンピュータの例である。
【０１３９】
この発明に係るプログラムの第１の実施形態は、操作手段によりグラフ情報の一部が指定されたときに、グラフ情報の一部に対応する検査日時の検査結果を記憶手段から読み出して表示手段に表示させる制御手段として、上記のコンピュータを機能させる。
【０１４０】
このようなプログラムによれば、前述の医療情報処理システム１と同様に、医療情報を閲覧する作業の効率の向上を図ることが可能である。
【０１４１】
この発明に係るプログラムの第２の実施形態は、上記のコンピュータを、グラフ情報の一部を指定する指定手段として機能させ、更に、グラフ情報の一部に類似した検査結果を含む他の被検体の医療情報を記憶手段から読み出して表示手段に表示させる制御手段として機能させる。
【０１４２】
このようなプログラムによれば、前述の医療情報処理システム１と同様に、医療情報を閲覧する作業の効率の向上を図ることが可能になる。また、このようなプログラムによれば、医師は他の患者の医療情報を参照できるので、診療を支援することが可能である。
【０１４３】
この発明に係るプログラムを、コンピュータのドライブ装置によって読み取り可能な任意の記録媒体に記憶させることができる。
【０１４４】
そのような記録媒体としては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、ＵＳＢ（Ｕｎｉｖｅｒｓａｌ  Ｓｅｒｉａｌ  Ｂｕｓ）メモリなどがある。
【０１４５】
また、ハードディスクドライブやメモリなど、コンピュータに搭載された記憶装置に記憶させることも可能である。
【０１４６】
更に、インターネットやＬＡＮ等のネットワークを通じてこのプログラムを送受信することも可能である。
【図面の簡単な説明】
【０１４７】
【図１】この発明に係る医療情報処理システムの実施形態の機能的構成の一例を表す概略ブロック図である。
【図２】この発明に係る医療情報処理システムの実施形態のハードウェア構成の一例を表す概略ブロック図である。
【図３】この発明に係る医療情報処理システムの実施形態の動作の一例を表すフローチャートである。
【図４】この発明に係る医療情報処理システムの実施形態におけるグラフ情報の表示態様の一例を表す概略図である。
【図５】この発明に係る医療情報処理システムの実施形態におけるグラフ情報及び医療行為情報の表示態様の一例を表す概略図である。
【図６】この発明に係る医療情報処理システムの実施形態の機能的構成の一例を表す概略ブロック図である。
【図７】この発明に係る医療情報処理システムの実施形態の動作の一例を表すフローチャートである。
【図８】この発明に係る医療情報処理システムの実施形態におけるグラフ情報及び医療行為情報の表示態様の一例を表す概略図である。
【図９】この発明に係る医療情報処理システムの実施形態の動作の一例を表すフローチャートである。
【符号の説明】
【０１４８】
１、１０  医療情報処理システム
１１  制御部
１１１  主制御部
１１２  グラフ情報作成部
１１３  情報検索部
１２  記憶部
１２１、１２１（ｊ）  医療情報
１２２、１２２（ｊ）  眼圧情報
１２３、１２３（ｊ）  検査情報
１２４、１２４（ｊ）  画像情報
１２５  関連情報
１２６（ｊ）  病名情報
１３  操作部
１４  表示部
２０  医療情報閲覧画面
２１  グラフ情報表示部
２２、２３  医療情報表示部
２４  類似患者情報表示部
Ｇ  グラフ情報
【図１】
0005154191.tif 000002
【図２】
0005154191.tif 000003
【図３】
0005154191.tif 000004
【図４】
0005154191.tif 000005
【図５】
0005154191.tif 000006
【図６】
0005154191.tif 000007
【図７】
0005154191.tif 000008
【図８】
0005154191.tif 000009
【図９】
0005154191.tif 000010